(57)【要約】【課題】軽量の操作ハンドルを提供することである。【解決手段】対象物に設けられた位置変化機構を動作させて該対象物の位置を変化させるために使用する操作ハンドル１であって、クランク状のハンドル部３０と、長筒状をなし、一方の端部が前記ハンドル部３０に連結される本体部２０と、前記本体部２０の他方の端部に連結されるとともに、前記位置変化機構に設けられた係合部に係合するフック部１０を備え、前記本体部２０は、繊維強化樹脂で形成されている。【選択図】図１
2018164599.tif 000002
【特許請求の範囲】
【請求項１】
対象物に設けられた位置変化機構を動作させて該対象物の位置を変化させるために使用する操作ハンドルであって、
クランク状のハンドル部と、
長筒状をなし、一方の端部が前記ハンドル部に連結される本体部と、
前記本体部の他方の端部に連結されるとともに、前記位置変化機構に設けられた係合部に係合するフック部を備え、
前記本体部は、繊維強化樹脂で形成されていることを特徴とする操作ハンドル。
【請求項２】
前記ハンドル部及び前記フック部は、前記本体部から取り外し可能に連結されている請求項１に記載の操作ハンドル。
【請求項３】
前記ハンドル部及び前記フック部は、金属で形成されている請求項１又は２に記載の操作ハンドル。
【請求項４】
前記ハンドル部の外面には、操作ハンドルの軸線周りの回動を許容するパイプ部が取り付けられ、
前記パイプ部は、前記ハンドル部から取り外し可能に構成されている請求項１〜３のいずれか一項に記載の操作ハンドル。
【請求項５】
前記本体部は、その両端部に連結部を有しており、前記ハンドル部及び前記フック部は、前記連結部に連結されている請求項１〜４のいずれか一項に記載の操作ハンドル。
【請求項６】
前記ハンドル部及び前記フック部は、前記連結部にネジ止めされている請求項５に記載の操作ハンドル。
【発明の詳細な説明】
【技術分野】
【０００１】
本発明は、対象物の位置を変化させるために使用する操作ハンドル、特に、バスケットボール用ゴールの位置を変化させるために使用する操作ハンドルに関する。
【背景技術】
【０００２】
学校や自治体等の体育館は、バスケットボール競技、バレーボール競技、バトミントン競技、卓球競技、体操競技等、各種スポーツ競技のために使用されたり、講演会や式典等スポーツ競技以外の行事に使用されたりする場合がある。そのため、各種スポーツ競技に必要な器具、備品等は、非使用時には体育館内の所定の保管庫等に収納されており、使用時には必要に応じて保管庫等から運び出して所定場所に組み付けるようにされているものが多い。
【０００３】
一方、バスケットボール用のゴールは、その競技の特性から、体育館の壁面の高い位置に片持ち状態で支持されている必要があり、そのための十分な剛性を確保する観点から、全体形状が大きく重量が重く設計されている。したがって、他のスポーツ競技や行事で使用される器具、備品等のように、使用の都度組み付ける態様には適さず、通常、体育館の壁面の高い位置に常時取り付けられた状態とされているものが多い。
【０００４】
そこで、バスケットボール用ゴールが他のスポーツ競技や、スポーツ競技以外の各種行事を行う際の妨げとならないように、バスケットボール用ゴールを伸縮自在な支持枠に取り付けて体育館の壁面に固定することが知られている。バスケットボール競技を実施する場合には、支持枠を伸長させてバスケットボール用コートの端縁近傍上方に配置し、それ以外の場合には、支持枠を短縮させて壁面近傍に位置させる。こうした支持枠の伸縮は、電動装置によって操作するものや、操作ハンドルによって操作するものが知られている。
【０００５】
特許文献１には、バスケットボール用ゴールを支持する支持枠を、ゴールポストに対して回動自在に、或いは上下移動自在に構成することが記載されている。支持枠の下部には係止環が設けられており、該係止環に操作ハンドルを引っ掛けて回動操作することにより、バスケットボール用ゴールの位置を移動させることができる。
【先行技術文献】
【特許文献】
【０００６】
【特許文献１】特開２０１１−１１５４７７号公報
【発明の概要】
【発明が解決しようとする課題】
【０００７】
特許文献１に記載される操作ハンドルは、先端側に先端フックが形成されているとともに、基端側にクランク状のハンドル部が形成されており、先端フックとハンドル部とが長棹状部材で連結された形状とされている。先端フックを支持枠の下部の係止環に引っ掛けた状態でクランク状のハンドル部を回動操作すると、先端フックがハンドル部と同時に回動し、この回動に伴って支持枠の係止環が回動させられる。これにより、支持枠の形状が変化して、支持枠に支持されたバスケットボール用ゴールの位置を適宜の位置に移動させることができる。
【０００８】
ところで、バスケットボール用ゴールは壁面の高い位置に設置されているため、支持枠に設けられた係止環も、床面から上方に離れた高い位置に設置されている。したがって、操作ハンドルの先端フックを係止環に係合するために、操作ハンドルの全長が長くされている。また、使用頻度が高い操作ハンドルに十分な耐久性が得られるようにするために、鉄等の金属で形成して剛性が確保されている。そのため、操作ハンドルの全体質量が大きくなり、女性や子供等比較的力の弱い使用者にとっては、操作性の観点から課題のあるものであった。
【０００９】
本発明は、従来の技術に存在するこのような課題を解決すべくなされたものであり、その目的は、軽量な操作ハンドルを提供することである。
【課題を解決するための手段】
【００１０】
上記の目的を達成するために、本発明は、対象物に設けられた位置変化機構を動作させて該対象物の位置を変化させるために使用する操作ハンドルであって、クランク状のハンドル部と、長筒状をなし、一方の端部が前記ハンドル部に連結される本体部と、前記本体部の他方の端部に連結されるとともに、前記位置変化機構に設けられた係合部に係合するフック部を備え、前記本体部は、繊維強化樹脂で形成されていることを要旨とする。
【００１１】
繊維強化樹脂の比重は、鉄、アルミニウム等の金属の比重より小さい。そのため、操作ハンドルの長筒状の本体部を繊維強化樹脂で構成することにより、鉄、アルミニウム等の金属で本体部を構成する場合に比べて、操作ハンドル全体の質量を軽量化することができる。女性や子供等比較的力の弱い使用者にとっても操作がしやすい操作ハンドルを得ることができる。
【００１２】
上記の発明において、前記ハンドル部及び前記フック部は、前記本体部から取り外し可能に連結されていることが好ましい。
上記の発明において、前記ハンドル部及び前記フック部は、金属で形成されていることが好ましい。
【００１３】
上記の発明において、前記ハンドル部の外面には、操作ハンドルの軸線周りの回動を許容するパイプ部が取り付けられ、前記パイプ部は、前記ハンドル部から取り外し可能に構成されていることが好ましい。
【００１４】
上記の発明において、前記本体部は、その両端部に連結部を有しており、前記ハンドル部及び前記フック部は、前記連結部に連結されていることが好ましい。
上記の発明において、前記ハンドル部及び前記フック部は、前記連結部にネジ止めされていることが好ましい。
【発明の効果】
【００１５】
本発明によれば、軽量な操作ハンドルを得ることができる。
【図面の簡単な説明】
【００１６】
【図１】本実施形態の操作ハンドルの正面図。
【図２】（ａ）は、本体部の正面図。（ｂ）は、本体部の下端部を連結部と樹脂部に分解した状態を説明する断面図。（ｃ）は、本体部の下端部の断面図。
【図３】フック部について説明する図。
【図４】（ａ）は、ハンドル部について説明する図。（ｂ）は、ハンドル部の上側軸部の部分拡大図。（ｃ）は、ハンドル部を本体部に取り付けた状態を示す上側軸部の部分拡大図。
【図５】ハンドル部の組み立て工程を説明する図。
【図６】（ａ）は、本体部にフック部が取り付けられた状態を説明する断面図。（ｂ）は、本体部にハンドル部が取り付けられた状態を説明する断面図。
【図７】ハンドル部の変更例を示す正面図。
【図８】貫通孔の変更例を示す断面図。
【図９】操作ハンドルを使用してバスケットボール用ゴールを上下方向に移動させる状態を説明する図。
【発明を実施するための形態】
【００１７】
以下、本発明を、バスケットボール用ゴールの位置を変化させるために使用する操作ハンドルに具体化した一実施形態について説明する。本実施形態の操作ハンドル１は、バスケットボール用ゴールを前後方向、上下方向に位置調整するために使用するものである。
【００１８】
図１に示すように、操作ハンドル１は、長棹状の本体部２０の先端側に鉤状のフック部１０が取り付けられ、本体部２０の基端側にクランク状のハンドル部３０が取り付けられた状態に形成されている。フック部１０及びハンドル部３０は、ボルト４０とナット５０により着脱可能に取り付けられている。以下では、操作ハンドル１の上下方向、フック部１０、本体部２０、及びハンドル部３０の上下方向を、図１に示す上下で表す。また、上側を先端側、下側を基端側とも言うものとする。
【００１９】
図９に示すように、操作ハンドル１の操作によって位置を変化させる対象物としてのバスケットボール用ゴール２は、壁面Ｗに固定された支持枠３と、支持枠３に取り付けられたバックボード４と、バックボード４に取り付けられたゴールリング５を備えている。支持枠３の下端部には、ベアリング入り軸受６を介して係合部７が取り付けられている。バスケットボール用ゴール２は、支持枠３の形状を変化させることにより、バックボード４及びゴールリング５の位置を前後方向又は上下方向に変化させることができる。図９では、バックボード４及びゴールリング５の位置を下方に変化させた場合の位置を二点鎖線で示している。バックボード４及びゴールリング５の位置を前後方向又は上下方向に変化させるためには、操作ハンドル１のフック部１０を、支持枠３の下端部に取り付けられた係合部７に係合し、ハンドル部３０を把持して、操作ハンドル１をその軸線周りに回動させることにより行う。
【００２０】
支持枠３に取り付けられた係合部７は、図示しない２種類で構成され、一方の係合部７に操作ハンドル１のフック部１０を係合して回動させると、支持枠３が壁面Ｗから離間する方向に伸びるか、又は接近する方向に縮むように伸縮して、バックボード４及びゴールリング５の前後方向の位置を調整することができる。また、他方の係合部７に操作ハンドル１のフック部１０を係合して回動させると、支持枠３が上下方向へずれるように移動して、バックボード４及びゴールリング５の上下方向の位置を調整することができる。バックボード４及びゴールリング５の位置を前後方向に変化させることにより、バスケット用ゴール２を収納状態としたり使用状態としたりすることができる。また、バックボード４及びゴールリング５の位置を上下方向に変化させることにより、通常のバスケットボール競技に使用したりミニバスケットボール競技に使用したりすることができる。バスケットボール用ゴール２に設けられた支持枠３が請求項で言う位置変化機構に相当する。
【００２１】
図２（ａ）に示すように、本体部２０は、繊維強化樹脂製の長筒状の樹脂部２１と、樹脂部２１の両端部に接合された一対の短筒状の連結部２２を有している。連結部２２は、鉄等の金属で形成されている。
【００２２】
本体部２０は全長に亘ってほぼ同じ径、ほぼ同じ厚みを有している。本体部２０の全長は、特に限定されるものではないが、６００〜２０００ｍｍの範囲であることが好ましい。また、外径は、直径が１３〜２５ｍｍの範囲であることが好ましい。さらに、厚みは、１〜３ｍｍの範囲であることが好ましい。本体部２０がこの数値範囲で形成されていることにより、操作ハンドル１は、バスケットボール用ゴール２の支持枠３の係合部７に届くだけの長さを有するとともに、十分な剛性及び耐久性を備えることができる。
【００２３】
本体部２０を構成する樹脂部２１の全長は、４５０〜１８００ｍｍの範囲であることが好ましい。また、本体部２０を構成する連結部２２の全長は、いずれも５０〜１００ｍｍの範囲であることが好ましい。樹脂部２１の外径と連結部２２の外径とはほぼ同一に形成されている。また、両端部に接合された連結部２２は同一の長さとされている。樹脂部２１の両端部に一対の連結部２２が接合された状態において、樹脂部２１の全長は、本体部２０の全長の７５〜９０％の範囲であることが好ましい。樹脂部２１及び連結部２２がこの数値範囲で形成されていることにより、繊維強化樹脂を使用することによるコストの上昇の影響を抑えることができる。
【００２４】
図２（ｂ）に示すように、樹脂部２１の両端部には、樹脂部２１の周面を薄肉化した薄肉部２１ａが形成されている。樹脂部２１は、本体部２０の上端側と下端側において同じ形状とされているため、図２（ｂ）では、本体部２０の下端側の樹脂部２１と連結部２２を並べて示している。また、図２（ｃ）では、本体部２０の下端側の樹脂部２１と連結部２２が接合された状態を示している。
【００２５】
樹脂部２１の薄肉部２１ａは、樹脂部２１の端部から一定の長さの部分において、外周面を一定厚み分削り取った形状とされている。そのため、樹脂部２１の薄肉部２１ａの外径は、樹脂部２１の他の部位での外径に対して０．３〜０．６ｍｍ小さく設定されている。本実施形態では、樹脂部２１の薄肉部２１ａの上下方向の長さは約３０ｍｍとされている。
【００２６】
樹脂部２１を形成する繊維強化樹脂は、従来公知のものを使用することができる。例えば、繊維強化樹脂を構成する強化繊維としては、炭素繊維、ガラス繊維、ボロン繊維、炭化ケイ素繊維、スチール繊維、アラミド繊維、アルミナ繊維、チラノ繊維、アモルファス繊維等が挙げられるが、中でも炭素繊維が好ましい。また、繊維強化樹脂を構成する樹脂としては、エポキシ樹脂、ポリエステル樹脂、フェノール樹脂等の熱硬化性樹脂や、ポリプロピレン樹脂、ポリエーテルエーテルケトン樹脂、アクリロニトリルーブタジエンースチレン共重合体（ＡＢＳ）樹脂、ナイロン樹脂、ポリプロピレン樹脂、ポリウレタン樹脂、ポリスチレン樹脂、ポリカーボネート樹脂、ポリアミド樹脂、ポリアセタール樹脂等の熱可塑性樹脂が挙げられるが、中でもエポキシ樹脂が好ましい。
【００２７】
図２（ｂ）に示すように、連結部２２の一方の端部には、連結部２２の周面を薄肉化した薄肉部２２ａが形成されている。連結部２２の薄肉部２２ａは、連結部２２の端部から一定の長さの部分において、内周面を一定厚み分削り取った形状とされている。本実施形態では、連結部２２の薄肉部２２ａの上下方向の長さは約３０ｍｍとされており、厚みは、連結部２２の他の部位での厚みの２５〜５０％とされている。なお、本体部２０の上側の連結部２２と、本体部２０の下側の連結部２２とは同じ形状とされている。
【００２８】
図２（ａ）、（ｂ）に示すように、樹脂部２１の下側に接合された連結部２２には、他方の端部に、ハンドル部３０を取り付けるためのボルト４０を挿通する貫通孔２２ｂが、対向する周面を貫通するように形成されている。同様に、樹脂部２１の上側に接合された連結部２２には、他方の端部に、フック部１０を取り付けるためのボルト４０を挿通する貫通孔２２ｂが、対向する周面を貫通するように形成されている。貫通孔２２ｂは、上下方向に２箇所形成されている。本実施形態の連結部２２は鉄製とされている。
【００２９】
図２（ｃ）に示すように、本体部２０は、樹脂部２１の両端部の薄肉部２１ａのそれぞれに、連結部２２の薄肉部２２ａが接着剤により接合されている。樹脂部２１の薄肉部２１ａは、樹脂部２１の端部から３０ｍｍの部分において、外周面を削り取った形状とされて、樹脂部２１の薄肉部２１ａの外径が樹脂部２１の他の部位での外径に対して小さく設定されており、連結部２２の薄肉部２２ａは、連結部２２の端部から３０ｍｍの部分において、内周面を削り取った形状とされてその厚みが小さく設定されている。そのため、薄肉部２１ａ、２２ａの接合により、本体部２０全体がほぼ同じ厚みとなり、樹脂部２１と連結部２２とが外周面においても内周面においてもほぼ面一とされている。なお、樹脂部２１と連結部２２とを接合する接着剤は、従来公知の接着剤を使用することができる。
【００３０】
図３に示すように、フック部１０は、鉄製の中実体を折り曲げ加工することにより形成されて、直線状の軸部１２の先端に鉤状の先端フック１１が連設された形状とされている。軸部１２は、本体部２０と同軸で上下方向に延びるように連結部２２に取り付けられている。先端フック１１は、フック部１０の上下方向略半分の位置から上側部分に形成されており、フック部１０の上下方向略半分の位置から下側部分は直線状の軸部１２とされている。折り曲げ加工された先端フック１１の先端は、面取り加工がされて丸みを帯びている。
【００３１】
軸部１２には、本体部２０の連結部２２にフック部１０を接続するために、ボルト４０を挿通するための貫通孔１２ａが、対向する周面を貫通するように形成されている。貫通孔１２ａは、上下方向に２箇所形成されている。２箇所の貫通孔１２ａの上下方向の間隔は、連結部２２に形成された２箇所の貫通孔２２ｂの上下方向の間隔と同一とされている。図３に矢印で示すように、フック部１０は、軸部１２を連結部２２の内部に挿入して、軸部１２の貫通孔１２ａと連結部２２の貫通孔２２ｂを合致させ、貫通孔１２ａ、２２ｂにボルト４０を挿通し、ボルト４０の先端を、ワッシャー６０を介してナット５０で締めることにより本体部２０に取り付けられている。なお、フック部１０の上下方向の全長は、特に限定されるものではないが、１００〜２００ｍｍの範囲であることが好ましい。外径は、連結部２２の内径よりもわずかに小径とされている。
【００３２】
図４（ａ）に示すように、ハンドル部３０は、鉄製の中実体を折り曲げ加工することにより形成されてクランク状とされている。折り曲げ加工されたハンドル部３０は、直線状の上側軸部３１、下側軸部３２、及び上側軸部３１と下側軸部３２とを連結する水平軸部３３を有している。上側軸部３１及び下側軸部３２はともに上下方向に延びており、上側軸部３１は、本体部２０の下側の連結部２２に連結されて本体部２０と同軸とされている。水平軸部３３は、上側軸部３１及び下側軸部３２と直交する方向、すなわち水平方向に延びている。
【００３３】
折り曲げ加工されたハンドル部３０の上下方向の全長は、特に限定されるものではないが、３００〜６００ｍｍの範囲であることが好ましい。上側軸部３１、下側軸部３２、及び水平軸部３３の長さも、特に限定されるものではないが、本実施形態のハンドル部３０は、上側軸部３１の上下方向の長さが、下側軸部３２の上下方向の長さより長く形成されている。また、外径は、本体部２０の連結部２２の内径よりもわずかに小径とされている。ハンドル部３０の上側軸部３１は、操作ハンドル１を回動操作する際に一方の手で把持して操作ハンドル１を支持する部分であり、ハンドル部３０の下側軸部３２は、他方の手で把持して回動操作する部分である。
【００３４】
上側軸部３１の先端部には、本体部２０の連結部２２に接続するためのボルト４０を挿通する貫通孔３０ａが、対向する周面を貫通するように形成されている。貫通孔３０ａは、上下方向に２箇所形成されている。２箇所の貫通孔３０ａの上下方向の間隔は、連結部２２に形成された２箇所の貫通孔２２ｂの上下方向の間隔と同一とされている。図４（ａ）に矢印で示すように、ハンドル部３０は、上側軸部３１を連結部２２の内部に挿入して、上側軸部３１の貫通孔３０ａと連結部２２の貫通孔２２ｂを合致させ、貫通孔３０ａ、２２ｂにボルト４０を挿通し、ボルト４０の先端を、ワッシャー６０を介してナット５０で締めることにより本体部２０に取り付けられている。
【００３５】
図４（ａ）、（ｂ）に示すように、上側軸部３１の基端側、下側軸部３２の先端側のそれぞれには、ハンドル部３０を構成する鉄製の中実体を潰し加工することによりストッパ３４が形成されている。ストッパ３４は、上側軸部３１、下側軸部３２の中実体の外周面において対向する２箇所に形成されている。また、図５に示すように、下側軸部３２の下端には、内部にネジ部３８が形成されており、下側軸部３２の下端を閉塞するようにワッシャー３５を介してボルト３７が取り付けられている。
【００３６】
図４（ａ）、（ｃ）に示すように、上側軸部３１、下側軸部３２のそれぞれには、樹脂製の把持パイプ３６が軸部３１、３２の外周を被覆する形状で取り付けられている。把持パイプ３６の内径は、軸部３１、３２の外径よりやや大きく形成されている。このため、上側軸部３１の把持パイプ３６を一方の手で支持して下側軸部３２を回動させた場合に、把持パイプ３６は内部の上側軸部３１の回動に追随することなく、上側軸部３１の回動を許容することができる。また、下側軸部３２を回動させた場合に、把持パイプ３６の内部で下側軸部３２の回動が許容される。なお、図４（ｂ）では、上側軸部３１に把持パイプ３６が取り付けられていない状態を示している。
【００３７】
図４（ｃ）に示すように、ハンドル部３０が本体部２０に取り付けられた状態では、上側軸部３１の把持パイプ３６の下端は、ワッシャー３５を介してストッパ３４に当接している。また、上側軸部３１の把持パイプ３６の上端は、ワッシャー３５を介して本体部２０の連結部２２に当接している。図４（ａ）に示すように、ハンドル部３０の下側軸部３２では、把持パイプ３６の上端は、ワッシャー３５を介してストッパ３４に当接しており、下側軸部３２の把持パイプ３６の下端は、ワッシャー３５を介してボルト３７に当接している。つまり、上側軸部３１では、連結部２２の下端とストッパ３４とで把持パイプ３６が位置決めされ、下側軸部３２では、ストッパ３４とボルト３７とで把持パイプ３６が位置決めされている。
【００３８】
次に、操作ハンドル１の製造方法について説明する。操作ハンドル１を製造する工程は、大きくは、フック部１０、本体部２０、及びハンドル部３０を製造する工程と、これら各部材を取り付ける取付工程とに分けられる。
【００３９】
フック部１０を製造するには、鉄製の中実体を折り曲げ加工して鉤状とし、先端フック１１の先端内周面に面取り加工を施すとともに、軸部１２に貫通孔１２ａを２箇所形成することによりフック部１０が得られる。
【００４０】
また、ハンドル部３０も同様に、鉄製の中実体を折り曲げ加工してクランク状とし、下側軸部３２の基端内部にねじ切り加工するとともに、上側軸部３１に貫通孔３０ａを２箇所形成する。そして、下側軸部３２の基端内部のねじ切り加工されたネジ部３８にボルト３７を螺合する。また、上側軸部３１の基端側及び下側軸部３２の先端側に、潰し加工によってストッパ３４を形成する。これにより、把持パイプ３６が取り付けられていない状態のハンドル部３０が得られる。なお、把持パイプ３６は、樹脂加工により円筒状に形成されて取付工程において取り付けられる。
【００４１】
本体部２０は、まず、繊維強化樹脂製の樹脂部２１を、繊維強化樹脂製の中空筒体を成形する従来公知の成形方法により成形する。以下、詳細な説明は省略するが、繊維強化樹脂製の中空筒体の成形方法としては、強化繊維が所定方向に配向された繊維強化樹脂製プリプレグをマンドレルに複数層巻き付けたものを加熱・硬化、冷却することにより成形するシートワインディング法、強化繊維が軸線方向に配向された繊維強化樹脂製テープをマンドレルに所定方向で巻き付けたものを加熱・硬化、冷却することにより成形するフィラメントワインディング法、強化繊維が軸線方向に配向された繊維強樹脂製紐を用いて組紐状に組み付けることにより筒状体を形成し、これを加熱・硬化、冷却することにより成形する組紐法等が挙げられる。
【００４２】
まず、得られた繊維強化樹脂製の中空筒体を所定長さに切断する。樹脂部２１に塗装等の表面処理をする場合には、中空筒体の表面を研磨加工し、脱脂処理をした後、塗装・硬化させる。なお、塗装等の表面処理をせず、成形したままの外観としてもよい。
【００４３】
その後、その両端部から所定長さの部分（本実施形態では約３０ｍｍ）の外周面を削り加工して薄肉部２１ａを形成することにより樹脂部２１が得られる。本実施形態では、樹脂部２１の薄肉部２１ａの外径が樹脂部２１の他の部位での外径に対して、０．５ｍｍ小さくなるように削り加工している。
【００４４】
連結部２２は、鉄製の中空筒体を所定長さに切断し、一方の端部から所定長さの部分（本実施形態では約３０ｍｍ）の内周面を削り加工して薄肉部２２ａを形成する。本実施形態では、連結部２２の薄肉部２２ａの厚みが連結部２２の他の部位での厚みに対して、約４０％となるように削り加工している。また、他方の端部に貫通孔２２ｂを２箇所形成する。
【００４５】
次いで、図２（ａ）、（ｃ）に示すように、樹脂部２１の薄肉部２１ａと連結部２２の薄肉部２２ａを接着剤で接合し、樹脂部２１の両端部に連結部２２が接合された本体部２０が得られる。
【００４６】
取付工程では、本体部２０の上端側にフック部１０を取り付け、本体部２０の下端側にハンドル部３０を取り付ける。図５に示すように、ハンドル部３０を取り付けるには、まず、把持パイプ３６が取り付けられていない状態のハンドル部３０を用意する。続いて、ハンドル部３０の下側軸部３２の下端側からワッシャー３５、把持パイプ３６、ワッシャー３５の順に下側軸部３２に組み付けて、上側のワッシャー３５を下側軸部３２に形成されたストッパ３４に当接させる。さらに、下側軸部３２の下端のネジ部３８にボルト３７を螺合して下側軸部３２の下端を閉塞する。これにより、把持パイプ３６が、ストッパ３４とボルト３７とで位置決めされて、下側軸部３２から抜け落ちることなく下側軸部３２周りに保持される。
【００４７】
一方、上側軸部３１に対しては、上側軸部３１の上端側からワッシャー３５、把持パイプ３６、ワッシャー３５の順に組み付けて、下側のワッシャー３５を上側軸部３１に形成されたストッパ３４に当接させる。続いて、上側軸部３１の上端を本体部２０の連結部２２の下端側から挿入し、ハンドル部３０の上側軸部３１に形成された貫通孔３０ａと本体部２０の連結部２２に形成された貫通孔２２ｂの位置を合致させる。図６（ｂ）に示すように、貫通孔２２ｂ、３０ａにボルト４０を挿通し、ワッシャー６０及びナット５０を組み付けることにより、本体部２０の下端側にハンドル部３０が取り付けられる。このとき、把持パイプ３６が、ストッパ３４と連結部２２の下端とで位置決めされて、上側軸部３１周りに保持される。
【００４８】
本体部２０にフック部１０を取り付けるには、まず、フック部１０の軸部１２の下端を本体部２０の連結部２２の上端側から挿入し、フック部１０の軸部１２に形成された貫通孔１２ａと本体部２０の連結部２２に形成された貫通孔２２ｂの位置を合致させる。図６（ａ）に示すように、貫通孔１２ａ、２２ｂにボルト４０を挿通し、ワッシャー６０及びナット５０を組み付けることにより、本体部２０の上端側にフック部１０が取り付けられる。
【００４９】
次に、本実施形態の操作ハンドル１の作用について説明する。
操作ハンドル１は、本体部２０の先端に鉤状のフック部１０が取り付けられ、本体部２０の基端にクランク状のハンドル部３０が取り付けられている。本体部２０は、樹脂部２１の両端部に接着剤で連結部２２が接合されており、フック部１０とハンドル部３０がボルト４０及びナット５０で本体部２０に取り付けられている。そのため、バスケットボール用ゴール２の支持枠３の係合部７に、操作ハンドル１のフック部１０を係合し、操作ハンドル１のハンドル部３０を回動させれば、ハンドル部３０の回動と一体となってフック部１０が回動する。フック部１０の回動に伴って、バスケットボール用ゴール２の支持枠３の係合部７が回動し、支持枠３の形状を変化させる。これにより、バックボード４及びゴールリング５の位置が前後方向、上下方向に変化し、バックボード４及びゴールリング５の位置を移動させることができる。
【００５０】
ハンドル部３０はクランク状に形成されて、上側軸部３１と下側軸部３２の外周には、上側軸部３１及び下側軸部３２の回動を許容する把持パイプ３６が取り付けられている。そのため、フック部１０をバスケットボール用ゴール２の支持枠３の係合部７に係合して操作ハンドル１を回動操作する際、一方の手で上側軸部３１の把持パイプ３６を把持して操作ハンドル１を支持し、他方の手で把持して下側軸部３２の把持パイプ３６を把持して回動操作すると、操作ハンドル１は自身の軸線周りでスムーズに回動する。
【００５１】
操作ハンドル１は、繊維強化樹脂製の樹脂部２１と鉄製の連結部２２とで構成された本体部２０に、鉄製のフック部１０及びハンドル部３０が取り付けられている。樹脂部２１の全長は、本体部２０の全長の７５〜９０％とされている。そのため、操作ハンドル１全体が鉄製であるものに比べて、軽量化されているとともに重心の位置がハンドル部寄りになっている。実際の質量が軽くなっていることと、重心の位置が手元に近くなっていることが相俟って、操作ハンドル１の一次モーメントが小さくなり、操作ハンドル１の軽さを実感しやすくなる。また、ハンドル部３０周りの慣性モーメントが小さくなり、操作ハンドル１を振り上げた時や、フック部１０を支持枠３の係合部７に引っ掛ける時の操作がしやすくなる。
【００５２】
フック部１０及びハンドル部３０は、ボルト４０及びナット５０で本体部２０に取り付けられている。そのため、ボルト４０及びナット５０を外すことにより、フック部１０及びハンドル部３０は、それぞれ本体部２０から脱着可能である。
【００５３】
また、ハンドル部３０の下側軸部３２に取り付けられた把持パイプ３６は、下側軸部３２の下端のボルト３７により位置決めされている。ボルト３７は下側軸部３２に対して螺合により取り付けられている。そのため、ボルト３７を外すことにより、下側軸部３２に取り付けられた把持パイプ３６は、ハンドル部３０から脱着可能である。
【００５４】
ハンドル部３０の上側軸部３１に取り付けられた把持パイプ３６は、本体部２０の連結部２２の下端により位置決めされている。本体部２０とハンドル部３０とは脱着可能である。そのため、ハンドル部３０を本体部２０から外すことにより、上側軸部３１に取り付けられた把持パイプ３６は、ハンドル部３０から脱着可能である。
【００５５】
樹脂部２１の薄肉部２１ａは、樹脂部２１の端部から３０ｍｍの部分において、外周面を削り取った形状とされて、樹脂部２１の薄肉部２１ａの外径が樹脂部２１の他の部位での外径に対して、０．５ｍｍ小さく設定されており、連結部２２の薄肉部２２ａは、連結部２２の端部から３０ｍｍの部分において、内周面を削り取った形状とされてその厚みが約４０％とされている。図２（ｃ）に示すように、樹脂部２１と連結部２２との接合部分では、薄肉部２１ａ、２２ａ同士が接合されていることにより、本体部２０全体がほぼ同じ厚みとなっている。樹脂部２１と連結部２２との接合部分で、本体部２０の外周面がほぼ面一となり、凹凸の形成されない滑らかな面となっている。本体部２０の内周面もほぼ面一となっている。
【００５６】
本実施形態の操作ハンドル１によれば、以下のような効果を得ることができる。
（１）バスケットボール用ゴールの位置を調整するために使用する操作ハンドル１は、高い位置に設けられた係合部７に対して使用するものであるため、長棹状の部材である。本実施形態の操作ハンドル１は、その一部である本体部２０の樹脂部２１が、繊維強化樹脂で構成されているため、全体の質量が軽量化している。女性や子供等比較的力の弱い使用者にとっても扱いやすい操作ハンドル１である。
【００５７】
（２）樹脂部２１が存在していることにより、軽量化とともに重心の位置がハンドル部寄りになっており、質量と、ハンドル部３０から重心までの距離との積で表される一次モーメントを小さくすることができる。そのため、軽さをより実感することができて、操作のし易さを実感することができる。
【００５８】
（３）樹脂部２１が存在していることにより、操作ハンドル１の、ハンドル部３０寄りの慣性モーメントを小さくすることができる。そのため、操作ハンドル１を振り上げる動作がし易くなり、フック部１０を支持枠３の係合部７に引っ掛ける際の操作が負担なく行える。
【００５９】
（４）樹脂部２１を繊維強化樹脂で構成している。そのため、繊維の配向方向を適宜設定することにより、軸方向の撓み、剛性等を調整することができる。
（５）フック部１０及びハンドル部３０は、本体部２０から脱着可能に構成されている。フック部１０は、係合部７に係合して回動させるための部材であり、係合部７と擦れあうことによって金属がはげたり削れたりしやすい。また、ハンドル部３０は、使用者が把持して回転させる部材であり、長期の使用によって消耗しやすい。そのため、フック部１０及びハンドル部３０を脱着可能とすることにより、フック部１０及びハンドル部３０を交換することができ、操作ハンドル１として長期間使用することができる。
【００６０】
（６）ハンドル部３０に取り付けられた把持パイプ３６は、上側軸部３１及び下側軸部３２から脱着可能に構成されている。把持パイプ３６は樹脂製であり、使用者が把持して回転させる部分であることから、割れたり、摩耗したり、また、傷がついたりしやすい。そのため、把持パイプ３６を脱着可能とすることにより、ハンドル部３０全体ではなく、把持パイプ３６のみを交換することができる。ハンドル部３０を長期間使用することができる。
【００６１】
（７）樹脂製の把持パイプ３６について、色の異なるものを複数準備することにより、操作ハンドル１の独自性を高めることができる。例えば、使用者の好きな色の把持パイプ３６を取り付けたり、複数の操作ハンドル１がある場合に使用者によって把持パイプ３６の色を分けたり、上側軸部３１に取り付けられた把持パイプ３６と下側軸部３２に取り付けられた把持パイプ３６とを異なる色としたりすることができる。意匠性を向上させることもできる。
【００６２】
なお、上記実施形態は以下のように変更してもよい。また、以下の変更例を適宜組み合わせてもよい。
・  本実施形態では、操作ハンドル１をバスケットボール用ゴールの位置調整のためのものとして構成したが、これに限定されない。係合部に係合して回動操作することにより、対象物の位置を変化させるために使用するものであれば、いずれのものを対象物としてもよい。例えば、商店の入口上部の庇の開閉に使用するものであってもよく、天窓を開閉するために使用するものであってもよい。
【００６３】
・  本実施形態では、フック部１０を鉤状としたがフック部１０の形状はこれに限定されない。例えば、環状であってもよい。
・  本実施形態では、フック部１０及びハンドル部３０を脱着可能としたが、脱着可能でなくてもよい。
【００６４】
・  本実施形態では、本体部２０の一部を樹脂部２１としたが、本体部２０全体を樹脂部２１としてもよい。この場合、フック部１０及びハンドル部３０を接着剤によって本体部２０に接合してもよい。また、操作ハンドル１全体を繊維強化樹脂製としてもよい。この場合、フック部１０やハンドル部３０のような折り曲げ形状の部分を、繊維強化樹脂の組紐により成形すれば折り曲げられた形状の部分に皺がよりにくいものが得られる。
【００６５】
・  本実施形態では、樹脂部２１の外径と連結部２２の外径とが同一に形成されているが、樹脂部２１の外径と連結部２２の外径とが異なっていてもよい。例えば、連結部２２の外径が樹脂部２１の外径より１ｍｍ前後大きくなっていてもよい。この場合、薄肉部２１ａ、２２ａの接合により、樹脂部２１と連結部２２とが外周面においても内周面においてもほぼ面一とされていなくてもよい。
【００６６】
・  本実施形態では、ハンドル部３０の上側軸部３１では下部のみにストッパ３４を形成し、把持パイプ３６の上端部は、本体部２０の連結部２２の下端部で位置決めするようにしたが、これに限定されない。図７に示すように、上側軸部３１の上部にもストッパ３４を形成し、上下のストッパ３４で把持パイプ３６を位置決めしてもよい。この場合、ワッシャー３５及び把持パイプ３６を組み付けた後に、上側軸部３１に潰し加工によりストッパ３４を形成する。
【００６７】
また、同様に、下側軸部３２の下部にもストッパ３４を形成し、ボルト３７とは別に下側軸部３２の把持パイプ３６を上下のストッパ３４で位置決めしてもよい。この場合も、ワッシャー３５及び把持パイプ３６を組み付けた後に、下側軸部３２に潰し加工によりストッパ３４を形成する。
【００６８】
・  図８に示すように、フック部１０及びハンドル部３０を、皿ネジ４１とナット５０とで本体部２０に対して取り付けてもよい。この場合、連結部２２の貫通孔２２ｂを皿ネジ４１の頭部の形状に形成する。なお、図示はしないが、皿ネジ４１が丸皿小ネジであってもよい。
【００６９】
・  本実施形態では、樹脂部２１の薄肉部２１ａ、連結部２２の薄肉部２２ａを端部から約３０ｍｍのところに形成したが、これに限定されない。３０ｍｍより長くてもよく、短くてもよい。樹脂部２１と連結部２２との接合強度を勘案して適宜設定することができる。
【００７０】
また、樹脂部２１の薄肉部２１ａの外径が、樹脂部２１の他の部位での外径に対して０．３〜０．６ｍｍ小さくなるように外周面を削り、連結部２２の薄肉部２２ａの厚みが、連結部２２の他の部位での厚みの２５〜５０％となるように内周面を削る場合について説明したが、これに限定されない。強度、剛性を確保する観点から言えば、樹脂部２１の薄肉部２１ａの厚みが、連結部２２の薄肉部２２ａの厚みより厚いほうが好ましい。また、樹脂部２１の薄肉部２１ａを内周面から削り、連結部２２の薄肉部２２ａを外周面から削ってもよい。
【００７１】
・  本実施形態では、フック部１０及びハンドル部３０を取り付けるための貫通孔１２ａ、２２ｂ、３０ａをそれぞれ上下方向に並ぶ２箇所形成したが、１箇所であってもよく３箇所以上であってもよい。
【実施例】
【００７２】
以下に、上記の実施形態を具体化した実施例について説明する。
操作ハンドル１の樹脂部２１として、炭素繊維強化樹脂製のプリプレグを使用してシートワインディング法により中空筒体を成形した。中空筒体は、直径１３．２ｍｍのマンドレルを使用して、表１に示す構成のプリプレグシートを順次マンドレルに巻き付けたものを加熱、冷却して成形した。プリプレグシートは、全層、東レ株式会社製「３２５２Ｓ−１７」（糸目付１７５ｇ／ｍ２、繊維含有率６７％、厚み０．１７ｍｍ）を使用した。
【００７３】
【表１】
2018164599.tif 000003
中空筒体は、全長が１２６０ｍｍ、外径が１６．６７ｍｍ、内径が１３．２ｍｍ、質量が１５７．０ｇであった。また、成形された中空筒体のその他の性状を表２に示す。
【００７４】
【表２】
2018164599.tif 000004
【００７５】
中空筒体の両端部の外周面を削り加工して、長さ３０ｍｍの薄肉部２１ａが形成された樹脂部２１とした。得られた樹脂部２１の両端部に、薄肉部２２ａが形成された鉄製の連結部２２を接着剤で接合して本体部２０とした。
【００７６】
さらに、本体部２０の先端側に、フック部１０をボルト４０、ナット５０、ワッシャー６０により取り付けるとともに、本体部２０の基端側に、図５に示す態様でハンドル部３０を取り付けて、全長が１９７６ｍｍの操作ハンドル１を得た。
【００７７】
比較例として、全体が鉄製であり、全長が１９７３ｍｍの操作ハンドルを用意した。
＜操作ハンドルの性能・操作性についての検討＞
それぞれの操作ハンドルについて、総質量、重心位置、ハンドル部に対する一次モーメント、ハンドル部周りの慣性モーメント、ハンドル部を片持ち状態としたときに先端の撓み量について測定した。重心位置は、ハンドル部の基端位置からの距離（ｍ）であり、慣性モーメントは、ハンドル部周りでの測定値である。その結果を表３に示す。
【００７８】
【表３】
2018164599.tif 000005
【００７９】
樹脂部２１を有する実施例の操作ハンドルは、全長がほぼ同じで全体が鉄製の操作ハンドルと比較して、約１ｋｇの軽量化を実現することができた。全質量は、比較例の操作ハンドルの約５７％であった。
【００８０】
ハンドル部に対する一次モーメントＭＲは、総質量Ｍとハンドル側基端部からの重心位置Ｒとの積で表され、ハンドル部を持った際に感じる重さ感の指標となるものである。ハンドル部に対する一次モーメントＭＲは、比較例の操作ハンドルが２．１５ｋｇ・ｍであったのに対し、実施例の操作ハンドルは０．９６ｋｇ・ｍであり、比較例の約４５％であった。
【００８１】
ハンドル部周りの慣性モーメントＩは、ハンドル部を持ってフック部を対象物に向けて操作する際に感じる重さ感の指標となるものである。ハンドル部周りの慣性モーメントＩは、比較例の操作ハンドルが２．８０ｋｇ・ｍ２であったのに対し、実施例の操作ハンドルは１．２９ｋｇ・ｍ２であり、比較例の約４６％であった。
【００８２】
操作ハンドルのハンドル部を片持ち状態で水平にすると、フック部の自重撓みが発生する。比較例の操作ハンドルでは、フック部の撓み量は、約１７ｍｍであった。一方、実施例の操作ハンドルでは、樹脂部単独での自重撓みはほとんど発生せず、先端側のフック部、連結部等の重みにより撓みが発生する。実施例の操作ハンドルでは、フック部の撓み量は、約１７．５ｍｍであった。
【００８３】
これらの結果より、全長１９７３ｍｍの操作ハンドルのうち約１２６０ｍｍの部分を繊維強化樹脂で構成することにより、約１ｋｇの軽量化を実現し、操作したときの重さ感を軽減させることができた。また、実施例の操作ハンドルの撓み量は、従来から使用されている鉄製の操作ハンドルと同等のしなり感であり、操作に違和感を感じることがないものであった。操作性に優れた操作ハンドルが得られた。
＜操作ハンドルの強度・耐久性についての検討＞
次に、実施例の操作ハンドルの強度について検討した。バスケットボール用ゴールに設けられた係合部に操作ハンドルのフック部を係合して操作する際、操作ハンドルには、常に捩りトルクが発生する。バスケットボール用ゴールの係合部が動かなくなった場合に最大で発生する捩りトルクを計測すると、約４０Ｎ・ｍであった。これに対して、実施例の操作ハンドルの、樹脂部２１の薄肉部２１ａと連結部２２の薄肉部２２ａの接合部での捩りトルクを計測した結果、２０１Ｎ・ｍであった。また、ハンドル部及びフック部でのボルト固定部分での捩りトルクは、８９Ｎ・ｍであった。
【００８４】
これらの結果より、実施例の操作ハンドルは、バスケットボール用ゴールを移動させる際にかかる最大の捩りトルクより大きい捩りトルクを有し、強度及び耐久性に優れていることがわかった。
【００８５】
一方、樹脂部２１での曲げ強度を計測した結果、破壊時の曲げ強度において、曲げモーメントでは、１３．９〜１５．０ｋｇｆ・ｍであった。これは、言い換えると、１ｍ離れた位置に、１３．９〜１５．０ｋｇｆの錘を負荷した時に破壊する強度に匹敵する。実施例の操作ハンドルは、曲げ強度にも優れていることがわかった。
＜操作ハンドルの使用感についての検討＞
実施例の操作ハンドルを、実際に高等学校での体育授業、及びバスケットボール部での活動を中心に、３６日間ほぼ毎日使用してもらい、その使用感についてアンケートした。３６日間の述べ使用回数は９７回であった。
【００８６】
アンケートでは、軽い、扱いやすいといった感想が多く得られた。具体的には、軽くて扱いやすい、軽さに驚いた、動きがスムーズで操作性がいい、女子でも操作しやすい、といった感想が得られた。また、樹脂部２１や、本体部２０とフック部１０及びハンドル部３０を連結する連結部分に破損等の不具合は見られなかった。
【符号の説明】
【００８７】
２…バスケットボール用ゴール（対象物）、３…支持枠（位置変化機構）、６…係合部、１０…フック部、２０…本体部、２１…樹脂部、２２…連結部、３６…把持パイプ（パイプ部）。
【図１】
2018164599.tif 000006
【図２】
2018164599.tif 000007
【図３】
2018164599.tif 000008
【図４】
2018164599.tif 000009
【図５】
2018164599.tif 000010
【図６】
2018164599.tif 000011
【図７】
2018164599.tif 000012
【図８】
2018164599.tif 000013
【図９】
2018164599.tif 000014